(57)【要約】【課題】常に安定したシール条件でインパルスシールし、シール品質の向上が図れる。【解決手段】ヒータ台６に設けた温度検出器１０と、ヒータ台６の温度に対して最適なシール時間及び冷却時間を設定したシール時間・冷却時間設定回路１１と、シール時に温度検出器１０で検出した温度に対応するシール時間及び冷却時間を前記シール時間・冷却時間設定回路１１より読み出し、加熱体５に接続された電源８の入力時間及びヒータ台６がフィルムシートをシート受けゴム４に押し付ける時間を制御する演算制御部１２とを備えている。【選択図】      図２
2004161363.tif 000002
【特許請求の範囲】
【請求項１】
包装体を覆ったフィルムシートの一方側にシート受け部材が配設され、他方側に加熱体を有するヒータ台が配設され、ヒータ台をヒータ台駆動手段で往復移動させてフィルムシートをシート受け部材に押し付けてインパルスシールするシール手段のインパルスシール制御装置において、前記ヒータ台に設けた温度検出器と、ヒータ台の温度に対して最適なシール時間及び冷却時間を設定したシール時間・冷却時間設定回路と、シール時に前記温度検出器で検出した温度に対応するシール時間及び冷却時間を前記シール時間・冷却時間設定回路より読み出し、前記加熱体に接続された電源の入力時間及び前記ヒータ台がフィルムシートを前記シート受け部材に押し付ける時間を制御する演算制御部とを備えたことを特徴とするインパルスシール制御装置。
【発明の詳細な説明】
【０００１】
【発明の属する技術分野】
本発明は、衣服等の包装体を覆ったフィルムシートをインパルスシールためのインパルスシール制御装置に関する。
【０００２】
【従来の技術】
例えば立体包装機においては、特許文献１に示すように、筒状のフィルムシートの左右下端部をチャックして衣服の長さに合わせてフィルムシートを下降させるためのシートチャック部と、衣服を覆ったフィルムシートの上部をシール及びカットするためのシールカット機構部と、衣服に掛けられたハンガーを吊るすように上方から前記シールカット機構部に伸びた鉤を有する支持機構部と、この支持機構部の鉤支持部材の左右の両端に固定され、フィルムシートを開口させるための２個のガイド部材とを備えている。
【０００３】
前記シールカット機構部は、フィルムシートを例えば５秒間インパルスシールするシール手段と、シールされた部分の直上をカットする鋸歯状のカッターとからなっている。なお、特許文献１には前記シール手段の構造は開示されていないが、シール手段は次のような構成よりなっている。衣服を覆ったフィルムシートの一方側（奥側）に固定のシート受けゴムが配設され、他方側（手前側）にニクロム線よりなる加熱体を有するヒータ台が前記シート受けゴムに対向して配設されており、ヒータ台はシリンダで往復駆動させられてフィルムシートをシート受けゴムに圧接させるようになっている。
【０００４】
特許文献１：特公昭５４−４２３１２号公報
【０００５】
次に作用について説明する。２個のガイド部材で開口されたフィルムシートの左右下端部は、上昇した状態のシートチャック部によってチャックされる。そこで、衣服に掛けられたハンガーが支持機構部の鉤に掛けられると、シートチャック部が下降してフィルムシートが引き下げられ、衣服にフィルムシートが被せられる。その後、シールカット機構部が前進してシール手段でフィルムシートが一定時間（例えば５秒のシール時間）押し付けられてインパルスシールされ、またカッターによってシールされた部分の直上のハンガーの部分を除いフィルムシートがてカットされる。次に加熱体がオフになってシール部分が冷却する一定時間（例えば５秒の冷却時間）後にシールカット機構部が後退する。
【０００６】
続いて、シートチャック部がフィルムシートをチャックして再下降し、前記したカットされていない部分のフィルムシートを引きちぎりながら引下げ、シールされた部分を衣服の肩の部分まで下げる。その後、シートチャック部はチャックを開放する。これにより包装は完了し、包装された衣服は鉤より取り出される。次にシートチャック部が上昇して次の包装用のフィルムシートをチャックして衣服の供給を待つ。
【０００７】
【発明が解決しようとする課題】
従来、前記したヒータ台をフィルムシートに押し付けてインパルスシールするシール時間及びシール後にシール部分を冷却させる冷却時間は、タイマーによって一定時間に設定している。ところで、フィルムシートのインパルスシールにおいては、ヒータ台の温度が低い場合には、シール時間を長くして冷却時間を短くし、逆にヒータ台の温度が高い場合には、シール時間を短くして冷却時間を長くする必要がある。ヒータ台の温度は、周囲の温度条件や装置の始動時とその後では変動する。しかし、上記従来技術は、シール時間及び冷却時間は、タイマーによって一定時間に設定されているので、ヒータ台の温度条件に最適なシール時間及び冷却時間でシールを行うことができなく、シール具合が安定しないという問題があった。
【０００８】
本発明の課題は、常に安定したシール条件でインパルスシールし、シール品質の向上が図れるインパルスシール制御装置を提供することにある。
【０００９】
【課題を解決するための手段】
上記課題を解決するための本発明の請求項１は、包装体を覆ったフィルムシートの一方側にシート受け部材が配設され、他方側に加熱体を有するヒータ台が配設され、ヒータ台をヒータ台駆動手段で往復移動させてフィルムシートをシート受け部材に押し付けてインパルスシールするシール手段のインパルスシール制御装置において、前記ヒータ台に設けた温度検出器と、ヒータ台の温度に対して最適なシール時間及び冷却時間を設定したシール時間・冷却時間設定回路と、シール時に前記温度検出器で検出した温度に対応するシール時間及び冷却時間を前記シール時間・冷却時間設定回路より読み出し、前記加熱体に接続された電源の入力時間及び前記ヒータ台がフィルムシートを前記シート受け部材に押し付ける時間を制御する演算制御部とを備えたことを特徴とする。
【００１０】
【発明の実施の形態】
本発明の一実施の形態を図１及び図２により説明する。筒状のフィルムシート１の左右下端部をチャックする２個のシートチャック部２は、シートチャック駆動部３により上下方向（図１において、紙面に垂直な方向）に移動させられる。フィルムシート１をシールするシール手段は、次のような構成となっている。図示しない衣服を覆ったフィルムシート１の一方側には固定のシート受けゴム４が配設され、他方側にはニクロム線よりなる加熱体５を有するヒータ台６がシート受けゴム４に対向して配設されている。ヒータ台６は、シリンダ等よりなるヒータ台駆動手段７で往復駆動されてフィルムシート１をシート受けゴム４に圧接させるようになっている。また加熱体５は電源８に接続されている。以上は公知の構成である。
【００１１】
本実施の形態においては、ヒータ台６に設けられた温度検出器１０と、ヒータ台６の温度に対して最適なシール時間及び冷却時間を設定したシール時間・冷却時間設定回路１１とを備えている。演算制御部１２は、温度検出器１０で検出した温度に対応するシール時間及び冷却時間をシール時間・冷却時間設定回路１１より読み出し、電源８の入力時間及びヒータ台６がフィルムシート１をシート受けゴム４に押し付ける時間、即ちヒータ台駆動手段７の駆動時間を制御し、またシートチャック駆動部３の駆動を制御するようになっている。なお、ヒータ台６の温度に対する最適なシール時間及び冷却時間は、予め実験によって設定してシール時間・冷却時間設定回路１１に記憶させておく。
【００１２】
次に作用を衣服にフィルムシート１が被せられた状態より説明する。演算制御部１２によりヒータ台駆動手段７がオンにされ、ヒータ台６が前進してフィルムシート１をシート受けゴム４に押し付ける。またヒータ台６が前進する直前又は直後に演算制御部１２によって電源８がオンになり、加熱体５によってヒータ台６が加熱される。そこで、演算制御部１２は、温度検出器１０で検出したヒータ台６の温度に対応するシール時間及び冷却時間をシール時間・冷却時間設定回路１１より読み出し、この読み出したシール時間になると電源８をオフにし、その後に前記読み出した冷却時間になるとヒータ台駆動手段７をオフにしてヒータ台６を後退させる。またヒータ台６がフィルムシート１をシート受けゴム４に押し付けている間に、シート受けゴム４の直上に配設されている図示しないカッターが作動し、シールされた部分の直上のハンガーの部分を除いてフィルムシート１がカットされる。
【００１３】
前記したようにヒータ台６が後退すると、従来の技術の項で説明したように、シートチャック部２がフィルムシート１をチャックして再下降し、前記したカットされていない部分のフィルムシート１を引きちぎりながら引下げ、シールされた部分を衣服の肩の部分まで下げる。その後、シートチャック部２はチャックを開放する。これにより包装は完了し、包装された衣服は鉤より取り出される。次にシートチャック部２が上昇して次の包装用のフィルムシートをチャックして衣服の供給を待つ。
【００１４】
このように、演算制御部１２は、温度検出器１０で検出したヒータ台６の温度に最適なシール時間及び冷却時間をシール時間・冷却時間設定回路１１より読み出し、電源８の入力時間を制御してフィルムシート１へのインパルスシールを行い、その後に前記読み出した冷却時間によってヒータ台６を後退させるので、常に安定したシール条件でインパルスシールすることができ、シール品質が向上する。
【００１５】
なお、上記実施の形態においては、立体包装機に適用した場合について説明したが、本発明は、立体包装機に限定されるものではなく、包装体を覆ったフィルムシートをインパルスシールするものに広く適用されるものである。
【００１６】
【発明の効果】
本発明は、包装体を覆ったフィルムシートの一方側にシート受け部材が配設され、他方側に加熱体を有するヒータ台が配設され、ヒータ台をヒータ台駆動手段で往復移動させてフィルムシートをシート受け部材に押し付けてインパルスシールするシール手段を備えた立体包装機において、前記ヒータ台に設けた温度検出器と、ヒータ台の温度に対して最適なシール時間及び冷却時間を設定したシール時間・冷却時間設定回路と、シール時に前記温度検出器で検出した温度に対応するシール時間及び冷却時間を前記シール時間・冷却時間設定回路より読み出し、前記加熱体に接続された電源の入力時間及び前記ヒータ台がフィルムシートを前記シート受け部材に押し付ける時間を制御する演算制御部とを備え構成よりなるので、常に安定したシール条件でインパルスシールし、シール品質の向上が図れる。
【図面の簡単な説明】
【図１】本発明のインパルスシール手段を立体包装機に適用した一実施の形態の要部概略構成を示す平面説明図である。
【図２】本発明のインパルスシール制御装置の一実施の形態を示すブロック図である。
【符号の説明】
１    フィルムシート
２    シートチャック部
３    シートチャック駆動部
４    シート受けゴム
５    加熱体
６    ヒータ台
７    ヒータ台駆動手段
８    電源
１０    温度検出器
１１    シール時間・冷却時間設定回路
１２    演算制御部
【図１】
2004161363.tif 000003
【図２】
2004161363.tif 000004